(57)【特許請求の範囲】
【請求項１】
内方シェルと外方シェルとを含む喫煙品用パッケージであって、内方シェルは喫煙品用のスペースを形成し、外方シェルは内方シェルを収容するための凹部を形成し、内方シェルと外方シェルは、内方シェルが外方シェルに収容されるパッケージが閉じた位置から、内方シェルが、外方シェルから離れるように延びたパッケージが開いた位置へと、互いに枢動するようにヒンジ式に連結され、外方シェルが、外方シェルと内方シェルが閉じた位置にあるときに内方シェルの側壁と重なる側壁を含み、ステップが内方シェルおよび外方シェルのどちらか１つの側壁に形成され、そのステップが形成された側壁に窪みを形成し、タブが、パッケージが閉じた位置にあるときに前記ステップが形成された側壁と重なる内方シェルまたは外方シェルの側壁から延び、これにより内方シェルと外方シェルが閉じた位置の方へと枢動したとき、前記ステップが形成された側壁と重なる内方シェルまたは外方シェルの側壁から延びた前記タブの自由端部が、前記窪みが形成された側壁と接触し、外方シェルと内方シェルが閉じた位置に到達した際に、タブがステップを越えて前記窪み内にばね式に入り込んで位置し、さらに、内方シェルまたは外方シェルは、前記側壁の一面に取り付けられたフラップを有する頂壁を含み、前記ステップが前記フラップの縁部と前記フラップが取り付けられる前記側壁の面によって形成されている、パッケージ。
【請求項２】
前記窪みが前記外方シェルの前記側壁に形成され、前記タブが前記内方シェルの前記側壁から延びていることを特徴とする請求項１記載のパッケージ。
【請求項３】
前記内方シェルおよび外方シェルが一端で互いにヒンジ式に連結され、前記内方シェルの前記ヒンジ式に連結された端部に対向する端部で、前記内方シェルによって形成されたスペースに触れることができることを特徴とする請求項２記載のパッケージ。
【請求項４】
前記外方シェルが前壁を有し、前記側壁が前記ステップと前記外方シェルの前記前壁の間に形成された前記窪みを有する前壁の縁部から延びていることを特徴とする請求項２記載のパッケージ。
【請求項５】
前記縁部が前記前壁まで延びず、前記窪みが前記縁部と前記前壁の間に形成されるように前記フラップが構成されていることを特徴とする請求項４記載のパッケージ。
【請求項６】
前記縁部が前記前壁に対して平行に延びるように前記フラップが構成されていることを特徴とする請求項４または５記載のパッケージ。
【請求項７】
前記頂壁が第２の縁部に沿って前記前壁から延び、前記側壁と前記前壁に対して実質的に垂直に延びていることを特徴とする請求項４乃至６いずれか１項記載のパッケージ。
【請求項８】
前記タブが前記内方シェルの側壁から前記外方シェルの側壁に向かう方向に延びていることを特徴とする請求項１乃至７いずれか１項記載のパッケージ。
【請求項９】
前記内方シェルの前記側壁が互いに重なりあって貼り付けられた内層および外層を含むことを特徴とする請求項８記載のパッケージ。
【請求項１０】
前記タブが前記内層と一体で、かつ、該内層から延びていることを特徴とする請求項９記載のパッケージ。
【請求項１１】
前記タブを受けるために切り欠き部が前記外層に形成されていることを特徴とする請求項１０記載のパッケージ。
【請求項１２】
前記タブが前記外層から延びていることを特徴とする請求項９記載のパッケージ。
【請求項１３】
前記タブが前記内方シェルと外方シェルが前記タブが前記窪みに収容される前の閉じた位置に枢動した際に前記フラップと接触し、弾性変形するように配置されていることを特徴とする請求項８乃至１２いずれか１項記載のパッケージ。
【請求項１４】
互いに貼り合わされる２つのブランクから形成されることを特徴とする請求項１乃至１３いずれか１項記載のパッケージ。
【請求項１５】
前記２つのブランクのうちの一方のブランクが一組の対向する縁部切り欠き部を含み、これら対向する縁部切り欠き部が互いに嵌め合わされる形状に形成されていることを特徴とする請求項１４記載のパッケージ。
【請求項１６】
前記タブが前記２つのブランクのうちの一方のブランクの１つの縁部切り欠き部に形成され、該タブと互いに嵌め合わされる形状の切り欠き部が他縁部に形成されていることを特徴とする請求項１５記載のパッケージ。
【請求項１７】
前記窪みが前記内層の前記側壁に形成され、前記タブが前記外方シェルの前記側壁から延びていることを特徴とする請求項１記載のパッケージ。
【請求項１８】
前記外方シェルと前記内方シェルがヒンジ部材によって連結され、前記内方シェルが前記開いた位置と前記閉じた位置の間をバネ作用で移動することを特徴とする請求項１乃至１７いずれか１項記載のパッケージ。
【請求項１９】
前記外方シェルが前記内方シェルおよび前記外方シェルが閉じた位置にあるとき、前記内方シェルの対応する対向する側壁と重なる一組の対向する側壁を含み、各壁がそこに形成された窪みを有し、タブが各面から延び、前記内方シェルおよび前記外方シェルが閉じた位置にあるときにこのタブが前記窪みに位置することを特徴とする請求項１乃至１８いずれか１項記載のパッケージ。
【請求項２０】
喫煙品を含む請求項１乃至１９いずれか１項記載のパッケージ。
【発明の詳細な説明】
【技術分野】
【０００１】
本発明は、喫煙品用パッケージおよびこれを作製するためのブランクに関する。特に本発明は、喫煙品用の二枚貝状（クラムシェル型）のパッケージに関するが、これに限定されるものではない。
【背景技術】
【０００２】
ここでいう「喫煙品」とは、タバコ、タバコ派生物、膨張タバコ、再生タバコまたはタバコ代替え品、および非燃焼性製品をベースにした紙巻きタバコ、シガー、シガリロなどの喫煙可能な製品を含むが、これらに限定されない。喫煙品には喫煙者によって吸引される気体流用のフィルターが設けられている場合がある。
【０００３】
クラムシェル型パケットは、当業者には既に知られており、紙巻きタバコを保持するために使用されている。このようなパケットは、一枚の厚紙からなるブランクまたは複数の板紙からなるブランクから形成され、一般的に１０から２０本のばらの紙巻きタバコを所定の構成に保持する。
【０００４】
通常クラムシェル型パケットは、外方シェルと内方シェルとを含み、これらはヒンジ式に連結され、内方シェル内に形成された喫煙品収容スペースに配置された喫煙品に触れることができる「開いた」位置と内方シェル内に形成された喫煙品収容スペースに配置された喫煙品に触れることができない「閉じた」位置の間を共通の縁部に沿って、互いに対して回転することができる。外方シェルは、パケットが閉じた位置にあるとき、内方シェルを含む凹部を形成し、これにより外方シェルの側壁が内方シェルの側壁に対して配置され、外方シェルの頂壁および前壁が喫煙品収容スペースに触れることを可能にする内方シェルに形成された開口部を囲む。
【０００５】
従来のクラムシェル型パケットでは内方シェルは、内方シェルの側壁の外面が外方シェルの側壁の内面と摩擦係合することによって外方シェル内に保持される。
【０００６】
しかしながら上記のこのようなクラムシェル型パケットでは内方シェルと外方シェルの側壁は、閉じた位置にある内方シェルを外方シェル内に保持するために互いに充分に摩擦係合しない場合がある。従ってこの問題を解決しようとして内方シェルを外方シェル内にスプリング機構を利用して保持させたものがある。このようなクラムシェル型パケットの一例が、本願出願人による国際公開第ＷＯ２００６／０６１５６３Ａ１号に記載されているものが知られている。この文献は、スプリング機構を有するクラムシェル型パケットを開示しており、これにより内方シェルが外方シェル内の閉じた位置内に付勢され、また外方シェルから出て延びた開いた位置に付勢され、これらシェルを動かす際、スプリング部材の作用下で開いた位置および閉じた位置間でバネ式に移動する。
【０００７】
しかしながら、このようなクラムシェル型パケットではスプリングが上手く作用せず、外方シェル内に内方シェルを保持するには充分に強さを有していないという問題点がある。さらに従来のクラムシェル型パケットには、内方シェルが完全に閉じた位置において外方シェル内に「ロック」されず、ユーザーは、内方シェルが外方シェル内に完全に収容されたという触覚または物理的な目安またはフィードバックが得られないという欠点がある。従って蓋は、不完全に開いた状態にある「口が開いた状態」になりやすい。
【発明の概要】
【発明が解決しようとする課題】
【０００８】
本発明は上述した従来のパッケージの問題点を解決する、または実質的に軽減する喫煙品用パッケージを提供することを目的としている。
【０００９】
本発明では内方シェルと外方シェルとを含む喫煙品用パッケージが提供され、内方シェルは喫煙品用のスペースを形成し、外方シェルは内方シェルを収容するための凹部を形成し、内方シェルと外方シェルは、内方シェルが外方シェルに収容されるパッケージが閉じた位置から、内方シェルが外方シェルから延びたパッケージが開いた位置へと互いに枢動するようにヒンジ式に連結され、外方シェルが、外方シェルと内方シェルが閉じた位置にあるときに内方シェルの側壁と重なる側壁を含み、窪みが内方または外方シェルのどちらか１つの側壁に形成され、内方シェルと外方シェルが閉じた位置にあるとき、窪み内に位置するように内方または外方シェルの対応する側壁からタブが延びている。
【００１０】
窪みは、外方シェルの側壁に形成され、タブは内方シェルの側壁から延びていると有利である。
【００１１】
好ましくは内方シェルと外方シェルは、一端で互いにヒンジ式に連結され、内方シェルによって形成されたスペースは、内方シェルの開口端で触れることが可能である。
【００１２】
窪みは外方シェルの側壁に形成されたステップによって形成してもよい。
【００１３】
外方シェルは前壁を有し、側壁が前壁の縁部から延び、上記ステップと外方シェルの前壁との間に窪みが形成されると便利である。
【００１４】
外方シェルは側壁の表面に取り付けられたフラップを有する端部壁を含み、上記ステップがフラップの縁部とフラップが取り付けられた側壁の面によって形成されると有利である。
【００１５】
１つの態様ではフラップは上記縁部が前壁まで延びないように構成され、上記窪みが上記縁部と上記前壁との間に形成される。
【００１６】
さらなる態様では上記縁部が上記前壁と平行になるようにフラップが構成されている。
【００１７】
別の態様では端部壁が第２縁部に沿って前壁から延び、側壁と前壁に対して実質的に垂直である。
【００１８】
タブが外方シェルの側壁へと向かった方向に内方シェルの側壁から延びていると有利である。
【００１９】
好ましい態様では内方シェルの側壁は、互いに貼り付けられた内方および外方の重なり合う層から形成される。
【００２０】
タブは内方層と一体で、かつ、この内方層から延びていると有利である。
【００２１】
好ましくは切り欠き部がタブを収容するために外方層に形成され、タブは外方層から延びてもよい。
【００２２】
タブは、内方シェルおよび外方シェルがタブが窪みに収容される前に閉じた位置に枢動した際にフラップと接触し、弾性変形すると有利である。
【００２３】
好ましい態様ではパッケージは互いに貼り付けられる２つのブランクから形成される。
【００２４】
第１のブランクは、一組の対向する縁部切り欠き部を含み、これら切り欠き部は互いに嵌め合わされると有利である。
【００２５】
側壁は端部壁であってもよい。窪みは内方シェルの側壁に形成されてもよく、タブは外方シェルの側壁から延びてもよい。
【００２６】
タブは第１ブランクの１つの縁部切り欠き部に形成されてもよく、対応する切り欠き部が縁部切り欠き部と嵌まり合うように他の縁部に形成される。
【００２７】
内方シェルが開いた位置と閉じた位置の間をばね式に移動するように外方シェルと内方シェルがヒンジ部材によって連結されていると便利である。
【００２８】
外方シェルは、一組の対向する側壁を含み、これら側壁は、内方シェルと外方シェルが閉じているときに内方シェルの対応する対向側壁と重なり、各壁は、そこに形成された窪みを含み、タブが蓋が閉じている際に窪みの中に位置するように各面から延びていることが好ましい。
【００２９】
また本発明では喫煙品を含むパッケージが提供される。
【００３０】
本発明の好ましい態様を添付の図面を参照し、あくまでも例示を目的として説明する。
【図面の簡単な説明】
【００３１】
【図１】本発明の態様による喫煙品用パッケージの斜視図である。
【図２】図１に示したパッケージの外枠を形成するために使用されるブランクの平面図である。
【図３】図１に示したパッケージの内枠を形成するために使用されるブランクの平面図である。
【図４】本発明の別の態様によるパッケージの外枠を形成するために使用されるブランクの平面図である。
【図５】図４に示したパッケージの内枠を形成するために使用されるブランクの平面図である。
【図６】本発明の別の態様によるパッケージの外枠を形成するために使用されるブランクの平面図である。
【発明を実施するための形態】
【００３２】
図面を参照すると図１に外方シェル１と内方シェル２とを含む本発明の１つの態様による喫煙品用パッケージが示されている。
【００３３】
外方シェル１は、前壁３と、一組の外方シェル側壁５、６と、頂壁７と、底壁８とを含む。一組の側壁５、６は、互いに対向し、前壁３からその平行な縁部に沿って垂直に延びている。同様に頂壁７と底壁８は、互いに対向しており、前壁３からその残りの２つの平行な縁部に沿って垂直に延び、対向する側壁５、６の間を延びている。開口部４が以下に明らかにする理由から前壁３を介してその外面３ａおよび内面３ｂとの間を延びて形成されている。
【００３４】
内方シェル２は、内方シェル前壁１１と、一組の内方シェル側壁１２、１３と、内方シェル頂壁１４と、内方シェル後壁１５とを含む。一組の内方シェル側壁１２、１３は、互いに対向しており、内方シェル前壁１１および後壁１５は、一組の内方シェル側壁１２、１３の間をその縁部に沿って延びている。内方シェル頂壁１４は、内方シェル側壁１２、１３の上縁部１７、１８の間を内方シェル後壁１５の上縁部１６に沿って延びている。内方シェル前壁１１と内方シェル頂壁１４は、内方シェル２によって形成された喫煙品収容スペース１９に触れることができるように互いに接合していないので、開口部が内方シェル２を介して、内方シェルの上方端部２ａに近接して形成されている。
【００３５】
内方シェル２は、内方シェル後壁１５の下方端部が第１のヒンジ線２１に沿って外方シェル底壁８の縁部に連結されるように内方シェル２の下方端部２０で外方シェル１にヒンジ式に取り付けられている。
【００３６】
外方および内方シェル１、２は、ヒンジ式蓋つきパケットがその形状を維持し、従って内容物（図示せず）が保護されるように硬質の弾性材、例えば板紙またはプラスチックから形成される。
【００３７】
スプリング部材２３が外方および内方シェル１、２の間を連通しており、スプリング部２４と、取り付けフラップ２５とを含む。スプリング部２３は、取り付けフラップ２５によって前壁３の内面３ｂにヒンジ式に取り付けられ、このフラップは接着剤によって前壁３の内面３ｂに固定されている。スプリング部２４の他端は、第２のヒンジ線２６で内方シェル２の前壁１１の下方端部にヒンジ式に接続され、以下に明らかにするようにスプリング部材２３が外方シェル１と内方シェル２を互いに進退自在に付勢する。
【００３８】
上述の例示した態様では外方シェル１と内方シェル２が、図２および３に示すように一組のブランク３０、３１から形成される。図２および３において実線は切断線を示し、破線は折り曲げ線を示す。第１ブランク３０を図２に示すが、これは内方および外方シェル２、１の両方に関連するパネルを含み、即ちそれぞれ折り曲げ線３２、３３、３４に沿って外方シェル前壁３から延びた外方シェル頂壁、底壁および側壁７、８、６を有する外方シェル前壁３と、第４の折り曲げ線３５に沿って連通する内方シェル後壁および頂壁１５、１４を含む。同様に第２ブランク３１を示すが、これは内方および外方シェル２、１の両方に関連するパネル、特に内方シェル２の前壁１１に関連するパネルを含む。スプリング部材２５も第２ブランク３１から形成され、第２ヒンジ線２６に沿って内方シェル２の前壁１１から延びている。
【００３９】
内方シェル側壁１３が折り曲げ線３７に沿って内方シェル後壁１５から延びた第１内方シェルサイドフラップ３６と折り曲げ線３９に沿って内方シェル前壁１１から延びた第２内方シェルサイドフラップ３８とから形成される。パッケージが組み立てられると、内方シェル後壁１５から延びる第１内方シェルサイドフラップ３６は、内方シェル前壁１１から延びた第２内方シェルサイドフラップ３８と重なり、接着剤によってこれに固定されて取り付けられ、内方シェル側壁１３を形成する。
【００４０】
内方シェル取り付けフラップ４０が内方シェル頂面１４に近接して、第１内方シェルサイドフラップ３６と内方シェル背面１５との間の折り曲げ線３７に対して横手方向に延びた折り曲げ線４１に沿って第１内方シェルサイドフラップ３６から延びている。パッケージが組み立てられると、内方シェル頂壁１４は内方シェル頂壁取り付けフラップ４０と重なり、接着剤によって各フラップ４０に固定され、取り付けられる。
【００４１】
同様に上方外方シェル取り付けフラップ４２が外方シェル１の頂壁７と前壁３の間の折り曲げ線３２に対して横手方向に延びた折り曲げ線４３に沿って外方シェル１の頂壁７から延びている。パッケージが組み立てられると、外方シェル側壁６は、対応する上方外方シェル取り付けフラップ４２と重なり、接着剤によってこれに固定され、取り付けられ、これにより接合縁部４６が形成され、外方シェル側壁６が頂壁７から横方向に延びる。また下方の外方シェル取り付けフラップ４４も外方シェル１の底壁８と前壁３の間の折り曲げ線３３に対して横方向に延びた折り曲げ線４５に沿って外方シェルの底壁８から延びている。パッケージが組み立てられると、外方シェル側壁６は、対応する下方の外方シェル取り付けフラップ４４と重なり、これに接着剤で固定され、取り付けられる。
【００４２】
上述の態様では外方シェルおよび内方シェル１、２がヒンジ線を中心にヒンジ式に動くように外方シェル１の底壁８を形成するために外方シェル側壁に固定され、取り付けられる下方の外方シェル取り付けフラップ４４によって底壁８が固定され、取り付けられるが、当業者にとって当然のことながら本発明はこれに限定されるものではなく、底壁８は内方シェル２の底壁を形成するために内方シェル側壁１３に固定され、取り付けられる下方の外方シェル取り付けフラップ４４によって内方シェル側壁１３に固定され、取り付けられてもよい。この態様では内方および外方シェル２、１が折り曲げ線３３を中心にヒンジ式に回転する。
【００４３】
保持フラップ４８が第２内方シェルサイドフラップ３８の下方折り曲げ線４９から延びて形成されている。パッケージが組み立てられると、第２内方シェルサイドフラップ３８の下方縁部５１が第１内方シェルサイドフラップ３６の下方縁部５２と位置合わせされ、これにより保持フラップ４８が内方シェル側壁１３から延びる。保持フラップ４８は、内方シェル側壁１３から互いの方へと内方に延び、以下に説明するように喫煙品収容スペース１９内の喫煙品を支持する。
【００４４】
切り欠き部５４が各上方外方シェル取り付けフラップ４２にその一側部に沿って形成されている。図では切り欠き部５４は各上方外方シェル取り付けフラップ４２に示されているが、以下に説明するようにタブ５５と連通するために上方外方シェル取り付けフラップ４２の１つのみに形成してもよい。パッケージが組み立てられると、各切り欠き部５４は、各外方シェル側壁６の内面に窪み５６を形成する。ここでは各切り欠き部５４は、各切り欠き部５４の一縁部と各外方シェル側壁６の内面の間でステップ５７を形成し、各窪み５６はステップ５７と前壁３の内面３ｂの間に形成される。各外方シェル側壁６の内面の一部は、各窪み５６の底部を形成する。
【００４５】
各切り欠き部５４によって形成されたステップ５７は、以下に明らかにする理由から前壁３の内面３ｂに平行に形成される。
【００４６】
図１および３に示すパッケージは、内方シェル側壁１３の１つから横方向に延びたタブ６０を含む。タブ６０は、内方シェル前壁１１に平行にかつそれと同じ面で内方シェル側壁１３に対して垂直に延びている。各タブ６０は、折り曲げ線６２に沿って１つの第２内方シェルサイドフラップ３８の内側縁部６１から延びて形成されている。タブ６０は、以下に明らかにする理由から内方シェルと同じ弾性材から形成される。切断線６３、６４はタブの外側縁部を形成し、折り曲げ線まで延び、タブ６０がこの折り曲げ線を中心に弾性的にヒンジ式に回転する。またタブ６０は、丸みを帯びた角（図示せず）を有する。
【００４７】
図３から明らかなように第２ブランク３１の第１外方縁部６５は、第２ブランクの第２外方縁部６６と相補的であり、これにより外方縁部６５、６６は、互いに嵌り合い、従って第２ブランク３１の第１外方縁部６５が切り取られると、隣接する第２ブランク３１の第２縁部６６が形成される。特に第２外方縁部６６は、第１外方縁部６５に延びたタブ６０に対応する第２外方縁部に形成された窪み６７によって形成され、第１外方縁部６５は第２外方縁部６６に形成された保持フラップ４８に対応する一組の窪み６８を有する。
【００４８】
窪み６９が側縁部７０に沿って第１内方シェルサイドフラップ３６の１つに形成され、これは対応する第２内方シェルサイドフラップ３８から延びたタブ６０の位置と相関し、これにより第２内方シェルサイドフラップ３８と位置合わせされ、タブ６０を対応する第１内方シェルサイドフラップ３６と接触せずに枢動する。
【００４９】
本発明によるパッケージの操作を図１を参照し説明する。
【００５０】
パッケージが組み立てられ、紙巻きタバコ（図示せず）などの喫煙品が喫煙品収容スペースに配置される。パッケージが内方シェル２が外方シェル１に対して回転し、喫煙品を収容するスペース１９に触れることができる開いた位置にあると、スプリング部材２３が外方シェル１から離れるように内方シェル２を付勢する。パッケージを閉じた状態にするために内方シェルはヒンジ線２１を中心に回転され、前壁３、頂壁７、底壁８および側壁５、６によって形成された外方シェルの凹部内に強制的に入り込まされる。
【００５１】
内方シェル２の側壁１３は、内方シェル２の１つの側壁から延びたタブ６０が外方シェル１の対応する側壁６と接触するように外方シェル１の側壁５、６に対して移動する。タブ６０は弾性変形し、外方シェル側壁６の内面に作用する。内方シェル２はさらに外方シェル１に対して枢動するので、タブ６０は上方外方シェル取り付けフラップ４２によって形成されたステップ５７に対して作用し、タブ６０の弾性によって窪み５６内にばね式に入り込む。
【００５２】
窪み５６に位置するタブ６０の利点は、内方シェル２がそれによって外方シェル１内に安定して保持されるということである。さらにタブ６０が窪み５６にばね式に入り込むと聞こえる程度の音が鳴り、タブ６０は「カチッ」という音と伴に窪み５６内に入り込む。
【００５３】
ユーザーがパッケージに配置された喫煙品（図示せず）を取ろうとした場合、ユーザーは、パッケージの外方シェル１を保持し、開口部４を介して内方シェル２の前面１１を押して、内方シェル２を開口部に対して枢動させる。内方シェル前面１１の突起１１ａを開口部４と重なり、ユーザーが突起を押せるように形成してもよい。タブ６０は、ステップ５７に対して作用し、従って内方シェル２は外方シェル１に対する枢動が制限される。内方シェルに加えられた力が増加すると、タブ６０、外方シェル２の対応する側壁６または内方シェル２の側壁１３の内の１つ以上が弾性変形し、タブ６０が窪み５６から解放される。
【００５４】
さらに内方シェル２の側壁１３が外方シェル１の側壁６に対して回転すると、タブがこれらの間に位置し、外方シェル１と内方シェル２の間に摩擦抵抗が生じる。
【００５５】
本発明の別の態様を図４および５に示す。本発明のこの態様によるパッケージは、上述のパッケージとほぼ同じであるので、詳細な説明は、ここでは省略する。しかしながら、この態様では第２ブランク７２に配置されたタブ６０の代わりにタブ７１が第１の内方シェルサイドフラップ３６の１つから延びるようにタブ７１が第１ブランク７３に形成されている。
【００５６】
さらにタブ６０、７１が上述の態様では内方シェル２の前壁１１の縁部から横方向に延びるように示されているが、本発明はこれに限定されず、タブ６０、７１は、前壁１１から遠位に位置する内方シェル２の側壁１３の面から垂直に突出してもよい。さらに上述の態様ではパッケージは、第１および第２ブランク３０から形成されるが、別の態様ではパッケージは、単一のブランクまたは２枚以上のブランクで形成してもよい。
【００５７】
本発明の別の態様を図６に示す。本発明のこの態様によるパッケージは、上述のパッケージとほぼ同じであるので、詳細な説明はここでは省略する。しかしながら、この態様ではタブ７４が第１内方シェルサイドフラップ３６の１つに形成されている。タブ７４は、第１内方シェルサイドフラップ３６の側縁部７０から垂直に延びた一組の平行な切れ込み７５によって形成されている。タブ折り曲げ線７６がこれらの平行な切れ込み７５の端部間で延び、これによりタブ７４が第１内方シェルサイドフラップ３６から突出する。タブ７４は、対応する外方シェル側壁６に形成された対応する拡大された窪み７７に位置する。
【００５８】
この態様の利点は、タブ７４の上縁７８が、第１内方シェルサイドフラップ３６の側縁７０に平行になり、ブランク７９が形成される際、無駄が少なくなる
【００５９】
さらに別の態様ではタブ６０、７１、７４が内方シェル２の１つの側壁１３から延びるように形成しなくてもよく、これとは別に外方シェル１の頂壁７に形成された対応する窪み（図示せず）に位置するように内方シェル２の頂壁１４から延びるように形成してもよい。さらにこれとは別にタブ６０、７１、７４は、対応する内方シェル側壁１３に形成された対応する窪み（図示せず）に位置するように外方シェル側壁６から延びてもよい。
【００６０】
上記に例示した態様ではタブ６０、７１、７４が内方シェル２の１つの側壁１３から延びるように示されているが、当業者にとっては当然のことながら本発明は、これに限定されず、タブ６０、７１、７４は、各タブ６０、７１、７４が各窪み５６に位置し、そこに保持されるように外方シェル１の各対向する側壁６の内面に形成された対応する窪み５６と連通するように内方シェル２の各側壁１３から延びるように配置してもよい。これとは別にタブ（図示せず）をタブ（図示せず）が窪み（図示せず）内に位置し、そこに保持されるように内方シェル２の側壁１３に形成された対応する窪み（図示せず）と連通するように外方シェルの側壁の内面から延びるように配置してもよい。
【００６１】
本発明のいくつかの態様を示し、説明してきたが、当業者にとっては当然のことながら添付の特許請求の範囲で定義される本発明の範囲内で上記態様に変更を加えることが可能である。
【図１】
0005669724.tif 000002
【図２】
0005669724.tif 000003
【図３】
0005669724.tif 000004
【図４】
0005669724.tif 000005
【図５】
0005669724.tif 000006
【図６】
0005669724.tif 000007